(57)【要約】【課題】例えば、より容易に取り付けたり取り外したりできるなど、より不都合が少なく改善された新規な開口部の防水装置、遮水板、および遮水板の設置方法を得る。【解決手段】開口部の防水装置は、例えば、床面と隣接し側方に向けて開口する開口部の少なくとも下部を屋外側から覆う遮水板と、遮水板の上端部から上方に向けて突出し、開口部の縁部に設けられた第一の引掛部に下側から引っ掛けられ、上側への移動が抑制される第二の引掛部と、遮水板に設けられ少なくとも床面との間をシールする弾性変形可能なシール部材と、を備え、第二の引掛部が第一の引掛部に引っ掛けられた状態で、開口部の少なくとも下部を屋外側から覆うよう構成された。【選択図】図４
2018112068.tif 000002
【特許請求の範囲】
【請求項１】
床面と隣接し側方に向けて開口する開口部の少なくとも下部を屋外側から覆う遮水板と、
前記遮水板の上端部から上方に向けて突出し、前記開口部の縁部に設けられた第一の引掛部に下側から引っ掛けられ、上側への移動が抑制される第二の引掛部と、
前記遮水板に設けられ少なくとも前記床面との間をシールする弾性変形可能なシール部材と、
を備え、
前記第二の引掛部が前記第一の引掛部に引っ掛けられた状態で、前記開口部の少なくとも下部を屋外側から覆うよう構成された、開口部の防水装置。
【請求項２】
前記第一の引掛部は、前記第二の引掛部を左右方向の両側から挟む一対の側壁部を有し、前記第一の引掛部によって、前記第二の引掛部の側方への移動が抑制される、請求項１に記載の開口部の防水装置。
【請求項３】
床面と隣接し側方に向けて開口する開口部の少なくとも下部を屋外側から覆う遮水板であって、
前記遮水板には、
当該遮水板の上端部から上方に向けて突出し、前記開口部の縁部に設けられた第一の引掛部に下側から引っ掛けられて上側への移動が抑制される第二の引掛部と、
少なくとも前記床面との間をシールする弾性変形可能なシール部材と、
が設けられる、遮水板。
【請求項４】
少なくとも床面との間をシールする弾性変形可能なシール部材と上端部から上方に向けて突出する第二の引掛部とが設けられた遮水板を上昇させながら、開口部の縁部に設けられた第一の引掛部の下側から前記第二の引掛部を挿入させる第一ステップと、
前記遮水板の下部を屋内側へ押し込むことで、前記遮水板を前記開口部の少なくとも下部を屋外側から覆う位置まで移動させる第二ステップと、
を含む、遮水板の設置方法。
【請求項５】
少なくとも床面との間をシールする弾性変形可能なシール部材と上端部から上方に向けて突出する第二の引掛部とが設けられた遮水板の下部を、屋内側へ向けて押す第一ステップと、
前記遮水板の上部を屋内側へ向けて押し、前記第二の引掛部が、開口部の縁部に設けられた第一の引掛部に当接することにより、当該第一の引掛部から前記第二の引掛部が押圧され前記シール部材が上下方向に弾性的に圧縮されて前記遮水板が下方へ沈み込みながら屋内側へ移動する第二ステップと、
前記遮水板の上部をさらに屋内側へ向けて押すことで、前記第二の引掛部が前記第一の引掛部に引っ掛けられ、前記遮水板が前記開口部の少なくとも下部を屋外側から覆った状態で前記遮水板が前記開口部の縁部に設置される第三ステップと、
を含む、遮水板の設置方法。
【発明の詳細な説明】
【技術分野】
【０００１】
本発明は、開口部の防水装置、遮水板、および遮水板の設置方法に関する。
【背景技術】
【０００２】
従来、開口部を屋外側から覆う防水シートを有した開口部の防水装置、遮水板、および遮水板の設置方法が知られている（例えば、特許文献１）。
【先行技術文献】
【特許文献】
【０００３】
【特許文献１】特許第４４５９７４０号公報
【発明の概要】
【発明が解決しようとする課題】
【０００４】
例えば、より容易に取り付けたり取り外したりできるなど、より不都合が少なく改善された新規な開口部の防水装置、遮水板、および遮水板の設置方法が得られれば有意義である。本発明の課題の一つは、例えば、より不都合が少なく改善された新規な開口部の防水装置、遮水板、および遮水板の設置方法を得ることである。
【課題を解決するための手段】
【０００５】
本発明の開口部の防水装置は、例えば、床面と隣接し側方に向けて開口する開口部の少なくとも下部を屋外側から覆う遮水板と、前記遮水板の上端部から上方に向けて突出し、前記開口部の縁部に設けられた第一の引掛部に下側から引っ掛けられ、上側への移動が抑制される第二の引掛部と、前記遮水板に設けられ少なくとも前記床面との間をシールする弾性変形可能なシール部材と、を備え、前記第二の引掛部が前記第一の引掛部に引っ掛けられた状態で、前記開口部の少なくとも下部を屋外側から覆うよう構成される。よって、例えば、比較的簡素な構成によって、遮水板を開口部を覆う位置に留めることができる。
【０００６】
上記開口部の防水装置では、例えば、前記第一の引掛部は、前記第二の引掛部を左右方向の両側から挟む一対の側壁部を有し、前記第一の引掛部によって、前記第二の引掛部の側方への移動が抑制される。よって、例えば、比較的簡素な構成によって、遮水板が開口部を覆う位置から側方へ移動するのを抑制することができる。
【０００７】
上記遮水板は、例えば、床面と隣接し側方に向けて開口する開口部の少なくとも下部を屋外側から覆う遮水板であって、前記遮水板には、当該遮水板の上端部から上方に向けて突出し、前記開口部の縁部に設けられた第一の引掛部に下側から引っ掛けられて上側への移動が抑制される第二の引掛部と、少なくとも前記床面との間をシールする弾性変形可能なシール部材と、が設けられる。
【０００８】
上記遮水板の設置方法では、例えば、少なくとも床面との間をシールする弾性変形可能なシール部材と上端部から上方に向けて突出する第二の引掛部とが設けられた遮水板を上昇させながら、開口部の縁部に設けられた第一の引掛部の下側から前記第二の引掛部を挿入させる第一ステップと、前記遮水板の下部を屋内側へ押し込むことで、前記遮水板を前記開口部の少なくとも下部を屋外側から覆う位置まで移動させる第二ステップと、を含む。
【０００９】
上記遮水板の設置方法では、例えば、少なくとも床面との間をシールする弾性変形可能なシール部材と上端部から上方に向けて突出する第二の引掛部とが設けられた遮水板の下部を、屋内側へ向けて押す第一ステップと、前記遮水板の上部を屋内側へ向けて押し、前記第二の引掛部が、開口部の縁部に設けられた第一の引掛部に当接することにより、当該第一の引掛部から前記第二の引掛部が押圧され前記シール部材が上下方向に弾性的に圧縮されて前記遮水板が下方へ沈み込みながら屋内側へ移動する第二ステップと、前記遮水板の上部をさらに屋内側へ向けて押すことで、前記第二の引掛部が前記第一の引掛部に引っ掛けられ、前記遮水板が前記開口部の少なくとも下部を屋外側から覆った状態で前記遮水板が前記開口部の縁部に設置される第三ステップと、を含む。
【発明の効果】
【００１０】
本発明によれば、例えば、より容易に取り付けたり取り外したりできる開口部の防水装置、遮水板、および遮水板の設置方法が得られる。
【図面の簡単な説明】
【００１１】
【図１】図１は、第１実施形態の開口部の防水装置の模式的かつ例示的な平面図である。
【図２】図２は、第１実施形態の開口部の防水装置の屋外側かつ上側から見た例示的な斜視図である。
【図３】図３は、第１実施形態の開口部の防水装置の第一の引掛部と第二の引掛部とを屋外側および下方から見た例示的な分解斜視図である。
【図４】図４は、図１のIV−IV断面図である。
【図５】図５は、第１実施形態の開口部の防水装置の図４の状態となる前の状態での図４と同等位置での断面図である。
【図６】図６は、第２実施形態の開口部の防水装置の図４と同等位置での図７の状態となる前の状態での断面図である。
【図７】図７は、第２実施形態の開口部の防水装置の図４と同等位置での断面図である。
【発明を実施するための形態】
【００１２】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【００１３】
また、以下に開示される実施形態および変形例には、同様の構成要素が含まれる。以下では、同様の構成要素には共通の符号が付与されるとともに、重複する説明が省略される。また、便宜上、開口部の開口方向の屋外側がＸ方向、Ｘ方向の視線での左側がＹ方向、および上方がＺ方向と、定義される。
【００１４】
＜第１実施形態＞
図１，２に示されるように、防水装置１Ａは、建物等の構造物の壁１０（側壁）に設けられた開口部１１に対応して、設けられる。開口部１１は、床面１２の上側に隣接し、側方（Ｙ方向）に向けて開口している。開口部１１は、上下方向に長い長方形状（四角形状）に形成される。開口部１１の縁は、床面１２と、左右両側で上下方向に延びる方立１３，１３（柱）と、上方で左右方向（側方）に延びる梁（図示されず）とによって構成される。方立１３は、角柱状に構成される。なお、開口部１１の屋内側には、開口部１１を開閉可能に覆う扉１５，１５が設けられている。扉１５は、スライドドア（所謂自動ドア）である。扉１５は、壁１０および床面１２に沿って、図１の左右方向（Ｙ方向およびその反対方向）に、開位置（図示されず）と閉位置（図１）との間で移動する。なお、屋外側および屋内側とは、説明上わかりやすくするための便宜上の表現であって、水が浸入する可能性がある場合の上流側および下流側を意味する。本発明は、例えば廊下等の通路のような家屋や部屋等の概念が必ずしも明確にならない場所に設置された扉に対しても適用できる。
【００１５】
防水装置１Ａは、遮水板２を有する。遮水板２は、長方形（四角形）の板状に構成される。遮水板２は、開口部１１の少なくとも下部を覆う。具体的に、遮水板２は、その厚さ方向が床面１２（Ｘ方向）と略平行な姿勢で、床面１２上に接して起立するとともに、方立１３に屋外側から接する。このように遮水板２が開口部１１の下部を覆った状態で、遮水板２の端部２ａ（下端部）と床面１２との間、および遮水板２の左右両側の端部２ｂ（側端部）と方立１３（の外面）との間がシールされることにより、開口部１１を介した屋内への雨水等の水の浸入が、抑制される。また、遮水板２は、ケース（例えば金属材料等）と、当該ケースの内部に収容された比較的軽量な材料（例えば発泡材料等）とを有し、全体として比較的軽量となるよう構成されている。遮水板２の全体の比重は、例えば、水の比重よりも小さく設定されうる。これにより、操作者は、遮水板２の運搬や、取り付け、取り外し等を、より容易に行える。なお、床面１２とは、説明上わかりやすくするための便宜上の表現であって、通常の床面のみならず、コンクリート面や地面等の開口部１１の下方に位置する面をも意味する。
【００１６】
図４に示されるように、端部２ａと床面１２との間、および端部２ｂと方立１３との間には、それぞれ、シール部材３が設けられている。シール部材３は、例えば、エラストマ等の弾性材料で構成される。シール部材３は、遮水板２と構造物（床面１２あるいは方立１３）との間に挟まれることで、弾性的に圧縮され、面圧を生じる。この面圧によって、水の浸入がより一層確実に抑制されうる。なお、本実施形態では、シール部材３は、遮水板２に設けられるが、シール部材３の少なくとも一部は、構造物側に設けられてもよい。また、水の浸入が抑制されるとは、水の浸入が阻止されたり防止されたりする意味をも含む。
【００１７】
また、左右の方立１３には、それぞれ、図２〜４に示される引掛部４が設けられる。引掛部４は、例えば、方立１３の屋外側に設けられうる。図３に示されるように、引掛部４は、壁部４ａ（天壁部、上壁部）や、壁部４ｂ（前壁部、周壁部）、壁部４ｃ（側壁部、周壁部）等の部分を有している。引掛部４には、壁部４ａ，４ｂ，４ｃ等で囲まれて下方（Ｚ方向の反対方向）に向けて開口された開口部４ｄ（凹部、収容部）が設けられている。
【００１８】
また、遮水板２には、左右の引掛部４のそれぞれに対応して、図３，４に示される引掛部５Ａが設けられる。引掛部５Ａは、遮水板２の端部２ｃの左右両端の近傍から上方に向けて突出している。引掛部５Ａは、図２，４に示される状態、すなわち、遮水板２が開口部１１を屋外側から覆うように配置された（取り付けられた）状態で、引掛部４の開口部４ｄ内に収容される。引掛部５Ａは、図３に示されるように、引掛部４に収容された状態で壁部４ａと対向する面５ａ（天面、上面）や、引掛部４に収容された状態で壁部４ｂと対向する面５ｂ（前面）、引掛部４に収容された状態で壁部４ｃと対向する面５ｃ等の部分を有している。引掛部５Ａは、長方形（四角形）の板状に構成される。引掛部４は、引掛部５Ａを引っ掛けることにより、遮水板２が開口部１１を覆う位置（閉位置）から外れる（離脱する、移動する）のを抑制する。引掛部４は、第一の引掛部の一例であり、引掛部５Ａは、第二の引掛部の一例である。
【００１９】
図２，４に示されるように遮水板２が開口部１１を屋外側から覆うように取り付けられ、引掛部５Ａが引掛部４の開口部４ｄに収容された状態では、面５ａが引掛部４の壁部４ａと接触するとともに面５ｂが壁部４ｂと接触する。すなわち、引掛部５Ａは、屋外側および下側から引掛部４に引っ掛けられる。面５ａと壁部４ａとの接触により、引掛部５Ａひいては遮水板２の上方への移動が抑制され、面５ｂと壁部４ｂとの接触により、引掛部５Ａひいては遮水板２の屋外側への移動が抑制される。また、引掛部４の壁部４ａの下端部（下面）と床面１２との間の長さＬｖ（図４、収容する側の寸法）は、シール部材３が自由状態（弾性変形していない状態）での遮水板２の引掛部５Ａの上端部（上面）とシール部材３の下端部（下面）との長さ（図示されず、収容される側の寸法）よりも短く設定されている。また、引掛部４の壁部４ｂの後端部（後面、図４の右側の面）と方立１３の前端部（前面、図４の左側の面）との長さＬｈ（図４、収容する側の寸法）は、シール部材３が自由状態での遮水板２の引掛部５Ａの前端部（前面）とシール部材３の後端部（後面）との長さ（図示されず、収容される側の寸法）よりも短く設定されている。よって、遮水板２は、引掛部４の壁部４ａと床面１２との間に上下方向（Ｚ方向）に挟まれ、引掛部４の壁部４ｂと方立１３との間に開口部１１の開口方向（Ｘ方向）に挟まれる。したがって、図４に示されるように、遮水板２の端部２ａと床面１２との間には、シール部材３の弾性変形に伴う力Ｆｐ１（弾性力）が生じてシール部材３の面圧が高まり、遮水板２の端部２ｂと方立１３との間には、シール部材３の弾性変形に伴う力Ｆｐ２（弾性力）が生じてシール部材３の面圧が高まる。これにより、端部２ａと床面１２との間、および端部２ｂと方立１３との間の面圧が増大し、これらの位置でのシール性が向上する。また、面圧の増大によって高まったシール部材３と床面１２との摩擦力により、遮水板２（の端部２ａ）の開口部１１から離れる方向（Ｘ方向）への移動が抑制される。
【００２０】
図５に示されるように、操作者は、引掛部５Ａを引掛部４の開口部４ｄ内に下方から挿入し、遮水板２（の下部）を方立１３側へ押し込むことで、遮水板２を所定位置（開口部１１を屋外側から覆う位置）に移動することができる。また、操作者は、遮水板２をＸ方向（図４，５の左方向）に引っ張ることで、遮水板２を取り外すことができる。
【００２１】
このように、本実施形態では、遮水板２に設けられた引掛部５Ａ（第二の引掛部）が、方立１３（開口部１１の縁部）に設けられた引掛部４に下側および屋内側から引っ掛けられ、引掛部４に上側および屋外側への移動が抑制される。そして、引掛部５Ａが引掛部４に引っ掛けられた状態で、遮水板２が、床面１２と接した状態で開口部１１の少なくとも下部を屋外側から覆う。よって、例えば、比較的簡素な構成によって、遮水板２を開口部１１を覆う位置に留めることができる。また、例えば、操作者は、引掛部５Ａを引掛部４に引っ掛けて移動させるという比較的簡単な操作によって、遮水板２を開口部１１を覆う位置に取り付けたり、開口部１１を覆う位置から取り外したりすることができる。また、引掛部５Ａと引掛部４との引っ掛かりによって、シール部材３が弾性変形して面圧が増大され、遮水板２と床面１２との間、および遮水板２と方立１３との間のシール性が向上されうる。
【００２２】
また、本実施形態では、例えば、引掛部４によって引掛部５Ａの左右方向への移動が抑制される。よって、例えば、比較的簡素な構成によって、遮水板２が開口部１１を覆う位置から側方（左右方向、Ｙ方向）へ移動するのを抑制することができる。また、引掛部５Ａ（第二の引掛部）が引掛部４に下側から引っ掛けられて、引掛部４に上側への移動が抑制されるように構成されているので、遮水板２の全体の比重が水の比重よりも小さく設定されていたとしても、水による浮力で遮水板２が上側へ移動してしまうのを効果的に抑制したり阻止したりできる。
【００２３】
また、本実施形態では、例えば、遮水板２の端部２ａと床面１２との間をシールする弾性変形可能なシール部材３が設けられる。よって、操作者は、シール部材３を弾性的に圧縮しながら遮水板２を開口部１１を覆う位置に取り付けたり開口部１１を覆う位置から取り外したりすることができる。また、例えば、シール部材３の弾性力によって、シール部材３の面圧が増大し、シール性が向上されうる。また、例えば、遮水板２が比較的軽量である場合（例えば、遮水板２の全体の比重が水の比重より小さい場合等）に、引掛部４と引掛部５Ａとの引っ掛かりが、シール性の向上に資する場合がある。
【００２４】
＜第２実施形態＞
図６，７に示される本実施形態の防水装置１Ｂでは、引掛部５Ｂの構成が、上記実施形態とは異なっている。引掛部５Ｂの屋内側（図６，７の右側）の面５ｄは、下方へ向かうにつれて屋内側へ向かうよう傾斜している。よって、操作者は、まずは、遮水板２の端部２ａ（下端部）を方立１３側（屋内側）へ押し当て、その後、遮水板２の上部に力Ｆを加えて遮水板２を方立１３側へ押す。これにより、引掛部５Ｂの面５ｄと引掛部４の壁部４ｂの下端部との接触によって、引掛部５Ｂひいては遮水板２は、引掛部４から下方への力を受け、シール部材３の端部２ａと床面１２との間の部分３ａが弾性的に圧縮され、遮水板２は下方へ沈み込みながら、屋内側へ移動する。すなわち、操作者による力Ｆにより、引掛部５Ｂは引掛部４の壁部４ｂを下方側から回り込んで（乗り越えて）、引掛部４の開口部４ｄ（図３参照）内に収容される。このようにして、遮水板２は所定位置（開口部１１を屋外側から覆う位置、図７）に移動する。なお、操作者は、遮水板２に上方から力を加えて屋外側に引くことで、遮水板２を所定位置から取り外すことができる。本実施形態によれば、例えば、操作者は、比較的簡単な操作によって、遮水板２を開口部１１を覆う位置に取り付けたり、開口部１１を覆う位置から取り外したりすることができる。なお、シール部材３は、遮水板２と一体化されていたり、遮水板２自体が兼ねていてもよい。すなわち、遮水板２の少なくとも床面１２と接する近傍の部材が、弾性変形可能な材質で構成されていてもよい。また、使用上支障が無ければ、シール部材３は無くてもよい。
【００２５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形状、大きさ、長さ、幅、厚さ、高さ、数、配置、位置、材質等）は、適宜に変更して実施することができる。また、複数の実施形態間で、構成を部分的に入れ替えて実施することができる。例えば、開口部の縁部（方立等）の形状や、引掛部の形状、引掛部の位置等も、上記実施形態には限定されない。
【符号の説明】
【００２６】
１Ａ，１Ｂ…防水装置、２…遮水板、３…シール部材、４…引掛部（第一の引掛部）、５Ａ，５Ｂ…引掛部（第二の引掛部）、１１…開口部、１２…床面（構造物、開口部の縁部）、１３…方立（構造物、開口部の縁部）。
【図１】
2018112068.tif 000003
【図２】
2018112068.tif 000004
【図３】
2018112068.tif 000005
【図４】
2018112068.tif 000006
【図５】
2018112068.tif 000007
【図６】
2018112068.tif 000008
【図７】
2018112068.tif 000009